(57)【要約】【課題】直射日光による熱の帽子本体内への伝導を抑制するとともに、日除け部のたわみを抑制する麦わら帽子を提供することを目的とする。【解決手段】頭部に被る帽子本体１に当該帽子本体１を取り囲む日除け部２が設けられた可撓性素材からなる第１及び第２の帽子３，４と、第１及び第２の帽子を係合させる隙間部材２０とを備え、第２の帽子４の帽子本体４１を第１の帽子３の帽子本体３１内に挿入し、帽子本体３１，４１間に中空部６を形成するとともに、日除け部３２，４２を中空部７を介して対向させている。隙間部材２０は、対向する日除け部３１，４１間に周方向に配置されるとともに、対向する日除け部３１，４１それぞれに固着され、日除け部の内周及び外周を含む断面において、複数本の隙間部材２０が間隔をおいて配置されている。【選択図】　　　　　図１
2004060067.tif 000002
【特許請求の範囲】
【請求項１】
頭部に被る帽子本体に当該帽子本体を取り囲む日除け部が設けられた可撓性素材からなる第１及び第２の帽子と、第１及び第２の帽子を係合させる隙間部材とを備え、
第２の帽子の帽子本体を第１の帽子の帽子本体内に挿入し、帽子本体間に中空部を形成するとともに、日除け部を中空部を介して対向させ、
隙間部材が、対向する日除け部間に周方向に配置されるとともに、対向する日除け部それぞれに固着され、
日除け部の内周及び外周を含む断面において、複数本の隙間部材が間隔をおいて配置されていることを特徴とする多層構造の帽子。
【請求項２】
上記隙間部材は、発泡性樹脂からなることを特徴とする請求項１に記載の多層構造の帽子。
【請求項３】
一端側が第２の帽子の帽子本体の内側に配置され、分割された他端側が、第２の帽子の帽子本体の側面に設けられたスリットを通って、帽子本体間の中空部に引き出されるシート状の吸水性素材を備えたことを特徴とする請求項１に記載の多層構造の帽子。
【請求項４】
上記吸水性素材は、上記一端側が、第２の帽子の帽子本体の内周面に固着されるとともに、上記他端側が、第２の帽子の帽子本体の外面に固着されたことを特徴とする請求項２に記載の多層構造の帽子。
【請求項５】
第１の帽子の帽子本体の上部に開口を設けたことを特徴とする請求項１から３のいずれかに記載の多層構造の帽子。
【請求項６】
上記第１の帽子に上記開口を囲む排気筒を設けたことを特徴とする請求項５に記載の多層構造の帽子。
【請求項７】
第１及び第２の帽子が麦わら帽子であることを特徴とする請求項１から６のいずれかに記載の多層麦わら帽子。
【発明の詳細な説明】
【０００１】
【発明の属する技術分野】
本発明は、多層構造の帽子及び多層麦わら帽子に係り、更に詳しくは、多層構造化によって改良された麦わら帽子などの帽子に関する。
【０００２】
【従来の技術】
麦わら帽子は、麦わら又はその代替材料を紐状（例えば真田紐状）に編み、この紐状の麦わらを編み、あるいは縫い合わせて製作される。このため、布地製の帽子に比べ、適度な可撓性を有するとともに、通気性の点でも優れている。また、材料として麦わらを用いるため、軽くて丈夫な帽子を安価に製作することができる。
【０００３】
図１１は、従来の麦わら帽子の構成を示した図であり、（ａ）は平面図、（ｂ）は内部構造を示した側面図である。図中の１は帽子本体、２は日除け部、５はスリットである。麦わら帽子は、頭部を包被する帽子本体１と、帽子本体の周辺端部に設けられた庇（ひさし）又は鍔（つば）と呼ばれる日除け部２からなる。通常、麦わら帽子の日除け部２は、他の帽子に比べて、日除け部２の幅が大きく、かつ、帽子本体１を取り囲むように帽子本体１の全周に設けられている。このため、頭部だけでなく、顔や首への直射日光を遮断することができる。また、帽子本体１の側面に設けられたスリット５により、帽子本体１内の通気性が確保されていた。
【０００４】
【発明が解決しようとする課題】
麦わら帽子は、上述したような優れた特性を有し、防暑用の帽子として広く普及している。しかしながら、従来の麦わら帽子は、麦わらを材料とする一重の構造体であるため、このような特性にも限界があった。
【０００５】
すなわち、直射日光によって受けた放射熱は、麦わら帽子の素材を介して帽子本体内へ伝導し、この伝導熱が着用者の頭部にまで伝わる。従来の麦わら帽子では、このような熱伝導を十分に抑制することができず、日差しの強い日には、帽子本体内の温度が上昇してしまうという問題があった。
【０００６】
また、麦わら帽子の日除け部は、雨風や合羽フード等による押し曲げに弱く、垂れ下がり易い。このため、従来の麦わら帽子では、垂れ下がった日除け部が着用者の視界を遮ってしまうという問題があった。
【０００７】
さらに、日差しの強い日に、帽子本体の内部を十分に廃熱し、あるいは乾燥させたい場合、従来の麦わら帽子の通気性は十分でなかった。つまり、従来の麦わら帽子は、廃熱、並びに、汗の吸収、拡散及び蒸発の能力が十分ではないという問題があった。
【０００８】
本発明は、上記の事情に鑑みてなされたものであり、直射日光によって受けた熱の帽子本体内への伝導を抑制することができる多層構造の帽子を提供することを目的とする。また、本発明は、日除け部のたわみを抑制することができる多層構造の帽子を提供することを目的とする。特に、上述した麦わら帽子の優れた特性を生かしつつ、帽子本体部及び日除け部のたわみを抑制する多層麦わら帽子を提供することを目的とする。
【０００９】
また、本発明は、帽子本体内の汗の蒸散を促進させ、あるいは、帽子本体内からの廃熱を促進させる多層構造の帽子、特に、多層麦わら帽子を提供することを目的とする。
【００１０】
さらに、本発明は、このような多層構造の帽子を簡単な構成により実現し、安価に提供することを目的とする。
【００１１】
【課題を解決するための手段】
請求項１に記載の本発明による多層構造の帽子は、頭部に被る帽子本体に当該帽子本体を取り囲む日除け部が設けられた可撓性素材からなる第１及び第２の帽子と、第１及び第２の帽子を係合させる隙間部材とを備え、第２の帽子の帽子本体を第１の帽子の帽子本体内に挿入し、帽子本体間に中空部を形成するとともに、日除け部を中空部を介して対向させ、隙間部材が、対向する日除け部間に周方向に配置されるとともに、対向する日除け部それぞれに固着され、日除け部の内周及び外周を含む断面において、複数本の隙間部材が間隔をおいて配置されている。
【００１２】
請求項２に記載の本発明による多層構造の帽子は、上記隙間部材が、発泡性樹脂からなる。
【００１３】
請求項３に記載の本発明による多層構造の帽子は、一端側が第２の帽子の帽子本体の内側に配置され、分割された他端側が、第２の帽子の帽子本体の側面に設けられたスリットを通って、帽子本体間の中空部に引き出されるシート状の吸水性素材を備える。
【００１４】
請求項４に記載の本発明による多層構造の帽子は、上記吸水性素材が、上記一端側が、第２の帽子の帽子本体の内周面に固着されるとともに、上記他端側が、第２の帽子の帽子本体の外面に固着されている。
【００１５】
請求項５に記載の本発明による多層構造の帽子は、第１の帽子の帽子本体の上部に開口が設けられている。
【００１６】
請求項６に記載の本発明による多層構造の帽子は、上記第１の帽子に上記開口を囲む排気筒が設けられている。
【００１７】
請求項７に記載の本発明による多層構造の帽子は、第１及び第２の帽子が麦わら帽子である。
【００１８】
【発明の実施の形態】
実施の形態１．
図１は、本発明の実施の形態１による多層麦わら帽子の一構成例を示した図であり、（ａ）は内部構造を示した平面図、（ｂ）は内部構造を示した側面図である。図中の１は帽子本体、２は日除け部、３は外側の麦わら帽子、４は内側の麦わら帽子、５はスリット、６及び７は中空部、２０は隙間部材である。
【００１９】
この多層麦わら帽子は、外側の麦わら帽子３と、内側の麦わら帽子４と、隙間部材２０とにより構成される。麦わら帽子３，４は、形状及びサイズが同一の従来の麦わら帽子であり、内側の麦わら帽子４の帽子本体４１が、外側の麦わら帽子３の帽子本体３１内に挿入された状態で、２つの麦わら帽子３，４を重ね合わせている。
【００２０】
２つの麦わら帽子３，４間には、隙間部材２０が配置されている。この隙間部材２０によって、帽子本体３１，４１間に概ね偏りなく中空部６が形成されている。また、隙間部材２０によって、日除け部３２，４２間に概ね偏りなく中空部７が形成されている。つまり、帽子本体３１の内面と帽子本体４１の外面は、隙間部材２０の厚みを隔てて互いに対向し、日除け部３２の下面と日除け部４２の上面は、隙間部材２０の厚みを隔てて互いに対向している。
【００２１】
隙間部材２０には、細長い紐状に成形された加工容易な軽量素材が用いられる。この様な素材としては、例えば、ウレタンやスポンジ等の弾性を有する発泡性樹脂が適している。この隙間部材２０は、外側の麦わら帽子３及び内側の麦わら帽子４に縫合又は接着により固着され、２つの麦わら帽子３，４は、隙間部材２０を介して係合される。
【００２２】
ここでは、隙間部材２０として、直径１２ｍｍの樹脂製スポンジを紐状に加工したものを用い、樹脂製スポンジとともに麦わら帽子３，４を縫合している。すなわち、日除け部２の樹脂製スポンジ紐の位置で、麦わら帽子３、樹脂製スポンジ紐及び麦わら帽子４に糸を貫通させ、麦わら帽子３及び４により樹脂製スポンジ紐を圧迫しながら挟み込んだ状態で縫合している。この結果、麦わら帽子３，４間に約１０ｍｍの中空部が形成されている。
【００２３】
日除け部２は、隙間部材２０によって補強され、外力によるたわみを抑制している。日除け部２では、帽子本体１を取り囲むように、隙間部材２０が日除け部２の周方向に配置されているため、日除け部２に対する上下方向への外力、特に、風雨や合羽フードによる上から押し下げる力に対し、日除け部２がたわむのを抑制している。
【００２４】
日除け部２の内部構造を内周部及び外周部を含む各断面で見れば、複数本の隙間部材２０が、所定の間隔をおいて配置されている。ここでは、１本の隙間部材２０を日除け部２において渦巻き状に配置し、このような構造を実現している。この様にして、日除け部２の幅方向に複数本の隙間部材を配置することによって、日除け部２をより効果的に補強することができる。
【００２５】
なお、この様な構造は、複数本の隙間部材２０を同心円状に配置することによって実現することもできるが、図１に示したように、１本の隙間部材２０を渦巻き状に配置する場合の方が製作が容易となる。また、麦わら帽子３，４の縫合は、日除け部２に配置された全ての隙間部材２０の全周について行うことが望ましく、一番外側の隙間部材２０は、日除け部２の外周縁に沿って配置されることが望ましい。
【００２６】
帽子本体１には、隙間部材２０によって中空部６が形成される。この中空部６は、熱抵抗の高い断熱層となるため、直射日光による熱が帽子本体の外側から内部へ伝導するのを抑制することができる。従って、隙間部材２０は、帽子本体１の上部及び各側面に中空部が形成されるように適宜に配置される。
【００２７】
ここでは、２本の隙間部材２０が、帽子本体１の上部においてＴ字状に配置され、３つの先端が側面に沿って日除け部２付近まで配置されている。このうち１本の隙間部材２０は、日除け部２に渦巻き状に配置された隙間部材２０の一端を利用している。なお、概ね偏りなく中空部６を設けることができれば、隙間部材２０の配置は問わず、例えばＴ字状に代えて十字状にしてもよい。
【００２８】
次に、図２及び図３を用いて、日除け部２の断面形状と、たわみとの関係について定量的に説明する。なお、ここでは日除け部２の強度が弾性限界内（すなわち、加重を受けても座屈せず、加重条件を元に戻すと形状も復元する範囲内）であるという条件下での概要について検討している。
【００２９】
図２は、日除け部２のたわみについて説明するための説明図である。図中の（ａ）には多層麦わら帽子が示され、（ｂ）には両端支持梁が示されている。日除け部２の中央部の半周長をＬとすると、日除け部２の中央部への加重Ｗによって、加重位置を中心とする日除け部２の半周部分が変形し、加重位置でたわみＨが生ずる。この様子は、長さＬの両端支持梁に中央集中荷重Ｗを加えた場合としてモデル化することができる。
【００３０】
ヤング率をＥ、断面２次モーメントをＩとすれば、モーメントＭ及びたわみＨは次の式（１）、（２）で表すことができる。つまり、モーメントＭ及びたわみＨは比例し、ともに両端支持梁の中央で最大となる。
【数１】
2004060067.tif 000003
【００３１】
【数２】
2004060067.tif 000004
【００３２】
断面２次モーメントＩ及び断面係数Ｚは、同じ断面積でも断面形状によって異なる。従って、同じモーメントＭを受けても、断面形状によって、日除け部２に生じる応力σ（＝Ｍ／Ｚ）及びたわみＨは異なる。
【００３３】
図３は、日除け部２の断面形状を示した図である。図中の（ａ）には従来の麦わら帽子の場合が示され、（ｂ）には図１の多層麦わら帽子の場合が示されている。従来の麦わら帽子の場合、日除け部２の厚さＴを２ｍｍ、幅Ｂを１００ｍｍとすると、断面２次モーメントＩａ及び断面係数Ｚａは、次式のように求めることができる。
【数３】
2004060067.tif 000005
【００３４】
【数４】
2004060067.tif 000006
【００３５】
一方、図１の多層麦わら帽子の場合、３本配置された隙間部材２０のピッチＢ２を３３ｍｍ、隙間部材２０の間隔Ｂ１を２０ｍｍ、各麦わら帽子の日除け部３２，４２の間隔Ｈ１を６ｍｍ、厚さ（（Ｈ２−Ｈ１）／２）を２ｍｍ、幅を１００ｍｍとすれば、断面２次モーメントＩｂ及び断面係数Ｚｂは、次式のように求めることができる。
【００３６】
【数５】
2004060067.tif 000007
【００３７】
【数６】
2004060067.tif 000008
【００３８】
式（２）によれば、たわみＨは断面２次モーメントＩに反比例するので、多層麦わら帽子は、従来の麦わら帽子に比べ、たわみＨが約１／１００になり、たわみ難くなっていることがわかる。また、応力σは断面係数Ｚに反比例するので、多層麦わら帽子は、従来の麦わら帽子に比べ、応力σが約１／２０になり、材料への負荷が小さいことがわかる。
【００３９】
この様な検討から、多層麦わら帽子の日除け部３２，４２間の距離、つまり、完成時の隙間部材２０の厚みは、６ｍｍ以上であることが望ましく、６〜１０ｍｍ程度が特に好適である。
【００４０】
なお、上記検討では、多層麦わら帽子の補強メンバーである隙間部材２０が、日除け部２と結合して一体化していることが前提であり、隙間部材２０が、日除け部３２，４２に接着、縫合などにより固着されている必要がある。
【００４１】
本実施の形態によれば、麦わら帽子を重ねて多層麦わら帽子を製作する際、周方向に配置した隙間部材２０を日除け部３２，４２に固着して、日除け部２を補強している。このため、日除け部２のたわみを抑制することができる。また、隙間部材によって帽子本体３１，４１に中空部を設けることにより、熱伝導を抑制することができる。
【００４２】
なお、本実施の形態では、外側及び内側の麦わら帽子３，４として、同一形状および同一サイズの麦わら帽子を用いる場合の例について説明したが、本発明は、この様な場合に限定されない。すなわち、内側の麦わら帽子４を外側の麦わら帽子３よりも小さい麦わら帽子とすることもできる。ただし、この場合でも、日除け部の幅は、同一であることが望ましい。
【００４３】
実施の形態２．
図４は、本発明の実施の形態２による多層麦わら帽子の一構成例を示した図であり、（ａ）は内部構造を示した平面図、（ｂ）は内部構造を示した側面図である。この多層麦わら帽子は、図１の多層麦わら帽子に開口部８が設けられている。
【００４４】
開口部８は、外側の麦わら帽子３に設けられた排気口であり、帽子本体３１の上面の中央部に位置し、当該上面よりも小さい面積からなる。帽子本体１の上部を開口させることによって、麦わら帽子３，４間の中空部６の暖気を排出するとともに、当該中空部６を乾燥させることができる。
【００４５】
特に、外側の麦わら帽子１の帽子本体３１の側面にスリット５が設けられている場合には、開口部８からの排気と、スリット５からの吸気によって、中空部６に気流を形成することができる。なお、スリット５は、帽子本体１の側面の全周に設けられていることが望ましい。
【００４６】
本実施の形態によれば、多層麦わら帽子において、外側の麦わら帽子の上部に開口部を設けることにより、多層麦わら帽子の中空部の排気及び乾燥を行うことができる。
【００４７】
実施の形態３．
図５は、本発明の実施の形態３による多層麦わら帽子の一構成例を示した図であり、（ａ）は内部構造を示した平面図、（ｂ）は内部構造を示した側面図である。この多層麦わら帽子は、図１の多層麦わら帽子に排気筒９が設けられている。
【００４８】
排気筒９は、外側の麦わら帽子３に設けられた中空の筒体であり、帽子本体３１の上面の中央部に取り付けられ、あるいは、外側の麦わら帽子と一体に形成されている。帽子本体１の上部に排気筒９を設けることにより、排気筒９からの排気と、スリット５からの吸気によって中空部６に気流を形成することができる。
【００４９】
このように排気口を煙突状にすることによりいわゆる煙突効果を利用し、中空部６に効果的に気流を形成することができる。すなわち、開口８を設けた多層麦わら帽子（図４）と比較して、より強い気流を中空部６に形成することができ、中空部６の暖気をより効率的に排出し、また乾燥させることができる。
【００５０】
本実施の形態によれば、多層麦わら帽子において、外側の麦わら帽子の上部に排気筒を設けることにより、多層麦わら帽子の中空部の排気及び乾燥を効率よく行うことができる。
【００５１】
実施の形態４．
図６は、本発明の実施の形態４による多層麦わら帽子の一構成例を示した図であり、（ａ）は内部構造を示した平面図、（ｂ）は内部構造を示した側面図である。この多層麦わら帽子は、図５の多層麦わら帽子に汗拡散布１０が設けられている。
【００５２】
汗拡散布１０は、多層麦わら帽子の帽子本体１の内周に沿って配置され、その下端は帽子本体１の端部に縫いつけられ固着される。一方、この汗拡散布１０の上部は、スリット５を介して帽子本体１の中空部６に引き出され、汗拡散布１０の上端は、内側の帽子本体４１の上部外側に縫いつけられ固着される。
【００５３】
また、スリット５を介して引き出される汗拡散布１０の上部は、複数の拡散片に分割されている。各分割片は、いずれかのスリット５を通って、帽子本体４１に沿って上に伸び、その上端は互いに重なった状態で、帽子本体４１に固着される。
【００５４】
図７は、図６の汗拡散布１０の展開図の一例を示した図であり、櫛歯形に裁断された一組の汗拡散布１０が示されている。これらの汗拡散布１０は、各分割片の幅とそれらの間隔が等しく、１つの布地を裁断して２つの汗拡散布１０を生成する際、一方の分割片を裁断するのと同時に他方の分割片も裁断される。このため、布地を無駄にすることなく、２つの汗拡散布１０を同時に裁断することができる。
【００５５】
汗拡散布１０には、汗の吸収及び拡散に優れた素材を用いることが望ましい。例えば、汗拡散布１０としてミクロンオーダーの微細孔を有する吸水性のシート状素材が好適である。
【００５６】
本実施の形態によれば、帽子本体１の内部に配置された汗拡散布１０をスリット５を介して、帽子本体１の中空部６に引き出している。このため、帽子本体１内の汗を汗拡散布１０の一端で吸収し、他端から中空部６へ拡散させることができる。
【００５７】
なお、本実施の形態では、汗拡散布１０を図６の多層麦わら帽子に設けた場合の例について説明したが、図１又は図４の多層麦わら帽子に設けることもできる。
【００５８】
実施の形態５．
図８は、本発明の実施の形態５による多層麦わら帽子の一構成例を示した図である。（ａ）は内部構造を示した平面図、（ｂ）は内部構造を示した側面図である。この多層麦わら帽子は、図１の多層麦わら帽子の隙間部材２０に代えて、面ファスナーからなる隙間部材２１を用いたものである。
【００５９】
隙間部材２１としての面ファスナーは、外側の麦わら帽子３、内側の麦わら帽子４それぞれに縫い付けられ、日除け部２において、これらの麦わら帽子３，４を係合させる。すなわち、日除け部３２の下面及び日除け部４２の上面に配置され、麦わら帽子３，４を重ね合わせて押さえることにより、対向する面ファスナーが係合される。なお、この面ファスナーには、弾性を有する発泡性樹脂などに、多数の微小フック片または微小ループ片が形成されたものが適している。
【００６０】
この隙間部材２１は、隙間部材２０と同様、麦わら帽子３，４を日除け部２において係合し、帽子本体１に中空部を形成するとともに、日除け部２を補強している。このため、日除け部２の周方向に隙間部材２１を配置し、また、日除け部２の幅方向に複数本の隙間部材２１を配置することによって、日除け部２をより効果的に補強することができる。このため、図８では、リング状の面ファスナーが同心円状に配置されている。
【００６１】
さらに、隙間部材２１を面ファスナーとすることにより、それぞれの麦わら帽子３，４に対して隙間部材２１を取り付け、麦わら帽子３，４を重ね合わせるだけで、多層麦わら帽子を製作することができる。
【００６２】
図１の多層麦わら帽子を製作する場合、隙間部材２０の位置決めを行いながら、隙間部材２０を麦わら帽子３，４で挟み込み、この状態を維持しながら、隙間部材に沿って、麦わら帽子３，４及び隙間部材２０を縫合していく必要がある。これに対し、隙間部材２１として面ファスナを用いれば、隙間部材２１の重ね合わせ前に、麦わら帽子３，４それぞれに隙間部材を取り付けることがことができ、より簡単に製作することができる。
【００６３】
実施の形態６．
図９は、本発明の実施の形態６による多層麦わら帽子の一構成例を示した図である。（ａ）は内部構造を示した平面図、（ｂ）は内部構造を示した側面図である。この多層麦わら帽子は、図１の多層麦わら帽子の隙間部材２０に代えて、熱処理された樹脂からなる隙間部材２２を用いたものである。
【００６４】
この隙間部材２２は、複数の樹脂製リングからなり、日除け部２に同心円状に配置され、日除け部３２，４２に挟み込まれた状態で加熱処理される。隙間部材２２を麦わら帽子３，４で押さえ付けた状態で、樹脂が軟化又は溶融する温度まで加熱処理すると、軟化又は溶融した隙間部材２２の一部が、日除け部３２，４２の編目などを介して日除け部３２，４２の反対側へしみ出し、反対面上で広がる。この状態で冷却すれば、日除け部３２，４２を貫通した状態のままで樹脂が硬化し、そのアンカー効果によって、麦わら帽子３，４を係合することができる。このとき、隙間部材２１はリベットの様な形状になる。
【００６５】
実施の形態７．
図１０は、本発明の実施の形態７による多層麦わら帽子を製作する様子を示した図である。（ａ）は隙間部材を打ち抜く際の様子を示した図であり、（ｂ）は麦わら帽子を重ね合わせる際の様子を示した断面図である。この多層麦わら帽子は、図１の多層麦わら帽子の隙間部材２０に代えて、打ち抜き部材からなる隙間部材２３を用いたものである。
【００６６】
図１の多層麦わら帽子では、細長い紐状に成形された隙間部材２０を用いていたが、図１０の多層麦わら帽子では、シート状の素材を打ち抜いて成形された複数のリング状の隙間部材２３が用いられている。打ち抜き品の隙間部材を用いた場合、紐状の隙間部材を用いる場合に比べて、日除け部２を係合させる製造工程において、隙間部材の位置決め作業が容易になる。
【００６７】
上記の各実施の形態は、多層麦わら帽子の場合の例について説明したが、本発明は、麦わら帽子に限定されない。すなわち、麦わら帽子以外の帽子、特に可撓性を有する素材からなり、外力により日除け部が容易にたわむ帽子にも適用することができ、同様の作用効果を得ることができる。
【００６８】
【発明の効果】
本発明によれば、麦わら帽子などの複数の帽子を隙間部材を介して係合し、多層構造にしている。このため、隙間部材によって日除け部を補強し、加重による日除け部のたわみを抑制することができる。また、帽子本体を多層構造として中空部を設けることにより、直射日光によって受けた熱の帽子本体内への伝導を抑制することができる。
【００６９】
また、帽子本体に開口部又は排気筒を設けることにより、帽子本体の廃熱を促進させることができる。また、汗拡散布を備えることにより、帽子本体内の汗の蒸散を促進させることができる。さらに、このような多層構造の帽子を簡単な構成により実現し、安価に提供することができる。
【図面の簡単な説明】
【図１】本発明の実施の形態１による多層麦わら帽子の一構成例を示した図である。
【図２】日除け部２のたわみについて説明するための説明図である。
【図３】日除け部２の断面形状を示した図である。
【図４】本発明の実施の形態２による多層麦わら帽子の一構成例を示した図である。
【図５】本発明の実施の形態３による多層麦わら帽子の一構成例を示した図である。
【図６】本発明の実施の形態４による多層麦わら帽子の一構成例を示した図である。
【図７】図６の汗拡散布１０の展開図の一例を示した図である。
【図８】本発明の実施の形態５による多層麦わら帽子の一構成例を示した図である。
【図９】本発明の実施の形態６による多層麦わら帽子の一構成例を示した図である。
【図１０】本発明の実施の形態７による多層麦わら帽子を製作する様子を示した図である。
【図１１】従来の麦わら帽子の構成を示した図である。
【符号の説明】
１，３１，４１　帽子本体
２，３２，４２　日除け部
３　外側の麦わら帽子
４　内側の麦わら帽子
５　スリット
６　中空部
７　中空部
８　開口部
９　排気筒
１０　汗拡散布
２０〜２２　隙間部材
３１，４１　帽子本体
【図１】
2004060067.tif 000009
【図２】
2004060067.tif 000010
【図３】
2004060067.tif 000011
【図４】
2004060067.tif 000012
【図５】
2004060067.tif 000013
【図６】
2004060067.tif 000014
【図７】
2004060067.tif 000015
【図８】
2004060067.tif 000016
【図９】
2004060067.tif 000017
【図１０】
2004060067.tif 000018
【図１１】
2004060067.tif 000019